(57)【要約】【課題】真珠などの宝玉をワイヤで多数個連接した装身具の連接端の宝玉とワイヤの端部とを、簡単且つ確実に抜け止め結合できるようにする。【解決手段】連接端の宝玉３eに、ワイヤ５の貫通孔３１とそれより大径のエンドパーツ（終端留め具）１の筒状部１０を嵌合させる嵌合穴３２とを同心に形成し、ワイヤ５の端部に、終端側の所定部分５１を残してテーパ部５２を形成し、そのワイヤ５の端部が宝玉３eの貫通孔３１を貫通てしてテーパ部５２を嵌合穴３２内に位置させる。そして、エンドパーツ１の筒状部１０が嵌合穴３２に嵌合されると、その内周面１２にワイヤ５の端部が嵌入し、一対の係止片１６の外方に突出した部分が嵌合穴３２の内壁３２aによって内方へ押圧され、その係止片１６がワイヤ５のテーパ部５２内に入り込むように押し曲げられ、ワイヤ５を係止する。【選択図】        図６
2008228841.tif 000002
【特許請求の範囲】
【請求項１】
外周面が真珠等の宝玉に嵌合され、内周面が前記宝玉を貫通するワイヤの端部を嵌入させる筒状部と、該筒状部の一端部に一体に設けられて宝玉の外部に露出する頭部とが金属で一体に形成され、
前記頭部は、少なくとも前記筒状部と接続する部分が該筒状部の外周より径方向の外方に張り出しており、
前記筒状部の周壁の一部に、該筒状部の周方向に沿う切り込みとその両端から軸線方に沿って前記頭部を設けた一端部とは反対側の開放端部に向かう方向に途中まで延びる切り込みとによって、片持ち状態の係止片が少なくとも１つ形成され、
該係止片は、前記筒状部の外周面の一部をなす外側の面が該筒状部の他の部分の外周面よりも径方向の外方に突出するように肉厚になっており、前記外側の面はその突出量が該係止片の自由端側から基端側に向かって減少する斜面になっていることを特徴とする装身具用終端留め具。
【請求項２】
前記係止片が、前記筒状部の軸線に対して対称に一対形成されていることを特徴とする請求項１に記載の装身具用終端留め具。
【請求項３】
前記頭部が、前記筒状部と接続する部分を最大径とする半球状に形成されていることを特徴とする請求項１又は２に記載の装身具用終端留め具。
【請求項４】
前記金属が、金、銀、金合金、または銀合金のいずれかであることを特徴とする請求項１から３のいずれか一項に記載の装身具用終端留め具。
【請求項５】
請求項１から４のいずれか一項に記載の装身具用終端留め具と、複数個の宝玉と、該複数個の宝玉を貫通して数珠状に連接させるワイヤとからなり、該ワイヤの端部と該端部を貫通させた連接端の宝玉とを、前記終端留め具によって抜け止め結合してなる装身具であって、
前記連接端の宝玉に、前記ワイヤの外径より僅かに大きい内径の貫通孔と、該宝玉の表面から所定の深さで前記貫通孔に連通し、該貫通孔より大径の前記終端留め具の前記筒状部を嵌合させる嵌合穴とを同心に形成しており、
前記ワイヤの端部に、終端側の所定部分を残して該所定部分側が小径となる円錐台状のテーパ部を形成しており、該ワイヤの端部が前記連接端の宝玉の前記貫通孔を貫通てして前記テーパ部を前記嵌合穴内に位置させ、
前記終端留め具の前記筒状部が前記連接端の宝玉の前記嵌合穴に嵌合するとともに、前記内周面に前記ワイヤの端部を嵌入させ、前記係止片の外方に突出した部分が前記嵌合穴の内壁によって内方へ押圧されて、該係止片が前記ワイヤの前記テーパ部内に入り込むように押し曲げられ、前記終端側の所定部分を係止することを特徴とする装身具。
【請求項６】
前記ワイヤが形状記憶合金で形成されていることを特徴とする請求項１に記載の装身具。
【請求項７】
前記宝玉が真珠であることを特徴とする請求項１又は２に記載の装身具。
【発明の詳細な説明】
【技術分野】
【０００１】
この発明は、真珠などの宝玉にワイヤを挿通して多数個連接してなる装身具において、終端の宝玉とワイヤの終端とを抜け止め結合するための装身具用終端留め具と、それを用いたネックレスやブレスレットなどの装身具に関する。
【背景技術】
【０００２】
一般に、ネックレスやブレスレット等の装身具は無端状にして首や腕に装着されるが、着脱の度にその両端を連結したり離間させたりしなければならないため、それを容易かつ確実に行えるようにするために種々の連結具が工夫されている。
その多くは、例えば特許文献１に見られるように、挿入穴部を有するメス型部材とその挿入穴部に挿脱可能な突起部を有するオス型部材との組み合わせからなるピン挿脱タイプの連結具であった。しかし、その連結具をネックレス等の装身具の端部の宝玉に取り付けるために、その宝玉に小さな連結リングを固着しなければならず、それが難しかった。
【特許文献１】特開平１０−１３７０１６号公報
【０００３】
特に、真珠などの宝玉にワイヤや紐を通して数珠状に多数個連接してなるネックレスなどの装身具においては、その終端の宝玉とワイヤや紐の端部と連結リングや連結具とを一体に固着して、宝玉が抜けないようにする必要があるが、それを作業性よく確実に行えるような部材はなかった。
また、ネックレスやブレスレット等の装身具を身に着けたり外したりするたびに、連結具を連結したり分離させたりするのは、装身具を使用する人にとってとても煩わしいことであるし、不完全な連結状態で身に付けていて、気付かないうちに連結具の連結が外れて、貴重な装身具を紛失する恐れもあった。
さらに、連接する多数の宝玉の間に異質な連結具が入るため、装身具の見映えも損ねる結果となっていた。
【０００４】
そこで、近年は多数の宝玉を挿通して連接させるワイヤに形状記憶合金を用いて、両端部を連結せずに多少重複させた略環状の装身具に形成したものも作られている。この装身具は、両端部を手で広げるようにして首や腕に装着し、手を離せばワイヤにの復元によって元の環状に戻り、首や腕から不用意に外れることはない。そのため、着脱が簡単であり、しかも連結具が不要であるから、外観上宝玉の連接だけで装身構成されているように見え、見栄えも向上する。
【発明の開示】
【発明が解決しようとする課題】
【０００５】
このような装身具の終端の宝玉をワイヤの端部に抜け止め結合するため、従来は、例えばワイヤの端部に鉛を溶着する方法などがとられていた。しかし、それは作業性及び確実性に問題があるばかりか、鉛は人体にアレルギー反応を起こさせる恐れがあり、人体に直接装着する装身具に使用するのは好ましくないという問題もあった。
【０００６】
この発明は、これらの問題を解決するためになされたものであり、真珠などの宝玉にワイヤを挿通して多数個連接してなる装身具において、その連接端の宝玉とワイヤの端部とを簡単且つ確実に抜け止め結合でき、人体にアレルギー等の悪影響を及ぼす恐れもない装身具用終端留め具を提供すること、およびそれを用いた見映えがよく着脱も簡単な装身具を提供することを目的とする。
【課題を解決するための手段】
【０００７】
この発明による装身具用終端留め具は、上記の目的を達成するため、外周面が真珠等の宝玉に嵌合され、内周面が宝玉を貫通するワイヤの端部を嵌入させる筒状部と、その筒状部の一端部に一体に設けられて宝玉の外部に露出する頭部とが金属で一体に形成されている。
その頭部は、少なくとも筒状部と接続する部分がその筒状部の外周より径方向の外方に張り出しており、筒状部の周壁の一部に、その筒状部の周方向に沿う切り込みとその両端から軸線方に沿って前記頭部を設けた一端部とは反対側の開放端部に向かう方向に途中まで延びる切り込みとによって、片持ち状態の係止片が少なくとも１つ形成されている。
その係止片は、上記筒状部の外周面の一部をなす外側の面が筒状部の他の部分の外周面よりも径方向の外方に突出するように肉厚になっており、その外側の面はその突出量が該係止片の自由端側から基端側に向かって減少する斜面になっていることを特徴とする。
【０００８】
上記記係止片は、上記筒状部の軸線に対して対称に一対形成するのが望ましい。
上記頭部は、上記筒状部と接続する部分を最大径とする半球状に形成すると見映えがよい。
この装身具用終端留め具を形成する金属は、金、銀、金合金、または銀合金のいずれかであると高級感があり、且つ人体にアレルギー等の悪影響を及ぼすこともない。
【０００９】
この発明による装身具は、前述の目的を達成するため、上記装身具用終端留め具と、複数個の宝玉と、その複数個の宝玉を貫通して数珠状に連接させるワイヤとからなり、そのワイヤの端部とその端部を貫通させた連接端の宝玉とを、上記終端留め具によって抜け止め結合してなる装身具である。
そして、上記連接端の宝玉に、上記ワイヤの外径より僅かに大きい内径の貫通孔と、その宝玉の表面から所定の深さで上記貫通孔に連通し、その貫通孔より大径の上記終端留め具の筒状部を嵌合させる嵌合穴とを同心に形成している。
【００１０】
また、上記ワイヤの端部に、終端側の所定部分を残してその所定部分側が小径となる円錐台状のテーパ部を形成しており、そのワイヤの端部が上記連接端の宝玉の貫通孔を貫通てして上記テーパ部を上記嵌合穴内に位置させる。
さらに、上記終端留め具の筒状部が上記連接端の宝玉の嵌合穴に嵌合するとともに、上記内周面に上記ワイヤの端部を嵌入させ、上記係止片の外方に突出した部分が上記嵌合穴の内壁によって内方へ押圧されて、その係止片が上記ワイヤのテーパ部内に入り込むように押し曲げられ、上記終端側の所定部分を係止することを特徴とする。
【００１１】
上記ワイヤが形状記憶合金で形成されていると、着脱が容易で見映えもよい装身具になる。上記宝玉が真珠であると、着脱が容易で見映えもよい真珠のネックレスやブレスレットになる。
【発明の効果】
【００１２】
この発明による装身具用終端留め具は、上記の構成により、真珠などの宝玉にワイヤを通して多数個連接してなる装身具における終端の宝玉とワイヤの終端とを、簡単且つ確実に抜け止め結合でき、鉛などの人体にアレルギー等の悪影響を及ぼす材料を使用する必要もない。しかも、構造が簡単で一体形成されるので十分な耐久性があり、極めて小さく作ることができる。
この発明による装身具は、その装身具用終端留め具によって、終端の宝玉とワイヤの端部とを抜け止め結合するので、宝玉が抜け落ちたりする恐れがなく、見映えもよく着脱しやすい装身具である。
【発明を実施するための最良の形態】
【００１３】
以下、この発明の好ましい実施の形態を図面を参照して具体的に説明する。
〔装身具用終端留め具の実施例〕
まず、この発明による装身具用終端留め具の一実施例を図１乃至図４によって説明する。
図１はその装身具用終端留め具の正面図、図２は側面図、図３は底面図であり、図４は図２のＡ−Ａ線に沿う断面図である。
【００１４】
この実施例では装身具用終端留め具をエンドパーツと称する。このエンドパーツ１は、筒状部１０と頭部２０とが金属で一体に形成されている。筒状部１０は円筒状の部分で、その外周面１１は真珠等の宝玉に嵌合され、内周面１２は宝玉を貫通するワイヤの端部を嵌入させる。頭部２０は筒状部１０の一端部に一体に設けられて宝玉の外部に露出する部分であり、少なくとも筒状部１０と接続する部分２１が筒状部１０の外周より径方向の外方に張り出している。
【００１５】
そして、筒状部１０の周壁の一部に、図２に明示するように、筒状部１０の周方向に沿う切り込み１４とその両端から軸線方に沿って頭部２０を設けた一端部とは反対側の開放端部１０aに向かう方向に途中まで延びる切り込み１５とによって、片持ち状態の係止片１６が少なくとも１つ形成されている。この実施例では、係止片１６が図１及び図３、図４から判るように、筒状部１０の軸線に対して対称に一対形成されている。この係止片１６を筒状部１０の周方向に沿って等角度間隔に３個以上形成してもよいが、エンドパーツ１は小さい部材なので、一対が適当である。
【００１６】
この係止片１６は、図１および図４に示すように、筒状部１０の外周面１１の一部をなす外側の面１６aが、筒状部１０の他の部分の外周面１１よりも径方向の外方に突出するように肉厚になっており、その外側の面１６aはその突出量が係止片１６の自由端側（図では上側）から基端側（図では下側）に向かって減少する斜面になっている。
エンドパーツ１が宝玉の嵌合穴に嵌合したとき、係止片１６の外側の面１６aが嵌合穴の内壁に押圧されて係止片１６が内側に押し曲げられ、内周面１２に嵌入しているワイヤの端部を挟み込んで係止する。
この係止片１６の肉厚は、このエンドパーツ１を形成する金属と同じ金属を溶着等によって追加付着することによって増加することができる。
【００１７】
こ実施例では、宝玉の外部に残る頭部２０が、筒状部１０と接続する部分２１を最大径とする半球状に形成されているので、真珠等の宝玉と目立たずマッチし、肌に触れても滑らかで安全でである。その頭部２０の筒状部１０と接続する部分２１側にも、筒状部１０の内周面１２と同径のワイヤ嵌入用凹部２２を設けている。
このエンドパーツ１を形成する金属は、人にアレルギー反応を起こさせる等の悪影響を及ぼすものでなければ何を使用してもしよいが、金、銀、金合金、または銀合金などが、加工性がよく、且つ宝玉とマッチして装身具の高級感を保つことができてよい。特に、金合金であるホワイトゴールドは最適である。
【００１８】
このエンドパーツ１の大きさの一例としては、筒状部１０の長さが２．５ｍｍ、外径が１．８ｍｍ、内径が１ｍｍ、周壁の肉厚が０．４ｍｍ、切り込み１４，１５の幅が０．１５ｍｍ、開口端１０ａから係止片１６の基端までが１ｍｍ、係止片１６の長さが０．８５ｍｍ、幅が０．７ｍｍ、係止片１６の外側の面１６aの最大突出量が０．２ｍｍ、頭部２０の外径が３ｍｍ、ワイヤ嵌入用凹部２２を含むワイヤ挿入穴の全長が３ｍｍである。これらの寸法は、使用する宝玉の大きさやワイヤ径などに応じて適宜変更できる。
【００１９】
〔装身具の実施例〕
次に、このエンドパーツ１の使用方法の説明を兼ねて、この発明による装身具の実施例について、図５乃至図８によって説明する。
図８はこの発明による装身具の一実施例の全体を示すブレスレットの平面図であり、真珠等の多数の宝玉３を図では見えないワイヤが挿通して数珠状に連接し、その各連接端の宝玉３eとワイヤの端部とを、上述した装身具用終端留め具であるエンドパーツ１によって抜け止め結合している。
【００２０】
このブレスレットは、形状記憶合金製のワイヤを使用しており、両端部を連結することなく重複させて環状に形成している。したがってその両端部を手で拡げて容易に腕に装着したり外したりすることができ、手を離せばワイヤが記憶している元の環状の形状に戻るので、不用意に腕から外れるようなことはない。
各連接端の宝玉３eはエンドパーツ１によって確実にワイヤの端部に抜け止め結合されているので、ワイヤから抜け落ちる恐れはなく、ホワイトゴールドなどの金属製の小さな半球状の頭部２０が見えるだけなので殆ど目立たず、宝玉だけでできているようにさえ見える。
【００２１】
この装身具の連接端の宝玉３eとワイヤの端部をエンドパーツ１によって結合する方法および、その構造を図５から図７によって説明する。これらの図はいずれも図４と同様な面による断面図である。
図８に示した連接端の宝玉３eに図５に示すように、ワイヤ５の外径より僅かに大きい内径の貫通孔３１と、その宝玉３eの表面から所定の深さで貫通孔３１に連通し、その貫通孔３１より大径のエンドパーツ１の筒状部１０を嵌合させる嵌合穴３２とを同心に形成している。
【００２２】
一方、ワイヤ５の端部に、終端側の所定部分５１を残してその所定部分５１側が小径となる円錐台状のテーパ部５２を形成している。
このワイヤ５の端部を連接端の宝玉３eの貫通孔３１に貫通させて、図５に示すようにテーパ部５２を嵌合穴３２内に位置させ、ワイヤ５の終端が宝玉３eの表面から若干突出する状態にする。
【００２３】
この状態から図６に示すように、エンドパーツ１の筒状部１０を宝玉３eの嵌合穴３２に挿入して嵌合させるとともに、その内周面１２にワイヤ５の端部を嵌入させる。
そして、このエンドパーツ１の頭部２０をさらに押し込むと、筒状部１０の係止片１６が宝玉３eの嵌合穴３２の入り口付近を若干押し拡げるようにして、筒状部１０が嵌合穴３２内にさらに深く嵌入するが、その際、係止片１６の外側の面１６aの外方に突出した部分が嵌合穴３２の内壁３２aの反力によって内方へ押圧され、その係止片１６がワイヤ５のテーパ部５２内に入り込むように押し曲げられ、終端側の所定部分５１を係止して抜け止めする。
【００２４】
図７に示すように、エンドパーツ１の筒状部１０が宝玉３eの嵌合穴３２に完全に嵌入した状態では、ワイヤ５の端部も完全にエンドパーツ１に挿入されて頭部２０のワイヤ嵌入用凹部２２内にまで嵌入している。そして、エンドパーツ１は一対の係止片１６の復元力と宝玉３eの嵌合穴３２の内壁３２の押圧力とによる摩擦力によって嵌合穴３２内に完全に保持され、そのエンドパーツ１の係止片１６がワイヤ５のテーパ部５２内に入り込んでいるため、ワイヤ５と宝玉３eに引き抜く方向の力が加わっても、ワイヤ５の終端側の所定部分５１を係止片１が係止するので抜ける恐れはない。また、この実施例では一対の係止片１６がワイヤ５のテーパ部５２を挟むように押えるので、一層確実に宝玉３eとワイヤ５の端部とを結合することができる。
【００２５】
この発明はブレスレットに限らず、複数の宝玉をワイヤで連接し、その連接端の宝玉をワイヤの端部に抜け止め結合するタイプのネックレスやブローチあるいはペンダント等の装身具にも同様に実施できる。そのワイヤに形状記憶合金を使用すれば、着脱容易で見映えのよい装身具とすることができるが、それ以外の金属であっても、端部に終端側の所定部分を残してテーパ部を形成でき、それをエンドパーツの係止片で係止できる太さと強度があればよい。
【００２６】
全体をリング状あるいは一本のライン状に形成した装身具に限らず、リング状あるいはライン状の部分から、複数の宝玉を連接した連珠条を複数本放射状あるいは並列状に接続したような装身具でもよい。その各連珠条の端部の宝玉とワイヤの端部とも、この発明によるエンドパーツによって簡単且つ確実に目立たずに抜け止め結合できる。
【００２７】
また、この発明は真珠を連接したブレスレットやネックレス等の装身具に好適であるが、それに限らず、水晶や珊瑚、宝石など各種の宝玉を連接した装身具にも適用でき、宝玉の形状も球形に限らず、円柱形、立方体形、多角柱又は多角球形、長球形、そのたの異形、個々の宝玉の形状が異なるものなど、ワイヤを挿通でき、連接端の宝玉にエンドパーツを嵌入できるものであれば、どのような材質及び形状の宝玉を使用する装身具にも適用できる。
【００２８】
〔装身具用終端止め具の他の実施例〕
この発明による装身具用終端止め具の他の実施例を図９および図１０に示す。これらの図において、図１から図４と対応する部分には同一の符号を付してあり、それらの説明は省略する。
図９に示すエンドパーツ１は、頭部２０の頂点部に連結リング６を固設し、そこに真珠８に固設した連結リング７を連結させている。
図１０に示すエンドパーツ１も、頭部２０も頂点部に連結リング６を固設し、そこにペットなどの形状の装飾片９を連結リング７を介して連結している。さらに、このエンドパーツ１の頭部２０には、イニシャル２３やエンブレムなどを彫り込んでもよい。
【００２９】
このようなエンドパーツを、多数の宝玉を連接した装身具の連接端の宝玉とワイヤの端部とを抜け止め結合に使用すれば、その終端に真珠８や装飾片９などのアクセサリを付けたり、イニシャルやエンブレムを彫り込んだ個性のある装身具を容易に提供することができる。エンドパーツの頭部自体の形状も、半球状に限らず任意にデザイン化することができる。
【００３０】
また、エンドパーツの頭部に連結リングを設けたものは、従来と同様に一方の端部のエンドパーツの連結リングにフックを付けたり、両端部のエンドパーツの連結リングに従来の連結具のメス型部材とオス型部材をそれぞれ連結したりすれば、両端部を連結するタイプのネックレス等の装身具を構成することもできる。
【産業上の利用可能性】
【００３１】
この発明は、真珠や水晶、珊瑚、宝石など各種の宝玉をワイヤで多数個連接し、その連接端の宝玉をワイヤの端部に抜け止め結合するタイプのブレスレット、ネックレス、あるいはブローチやペンダント等の各種の装身具に適用できる。特に、そのワイヤに形状記憶合金を用いた自己復元力を有する装身具に好適である。
【図面の簡単な説明】
【００３２】
【図１】この発明による装身具用終端留め具の一実施例を示す正面図である。
【図２】同じくその側面図である。
【図３】同じくその底面図である。
【図４】図２のＡ−Ａ線に沿う断面図である。
【図５】この発明による装身具用の一実施例における連接端の宝玉の貫通孔にワイヤの端部を挿入した状態を示す断面図である。
【図６】図５に示した状態からその宝玉の嵌合穴に図４に示した終端留め具を係止片の手前まで嵌入させた状態を示す断面図である。
【図７】同じくその宝玉の嵌合穴に終端留め具を完全に嵌合させた状態を示す断面図である。
【図８】この発明による装身具の一実施例の全体を示す平面図である。
【図９】この発明による装身具用終端留め具の他の実施例を図２と上下を反対にして示す側面図である。
【図１０】この発明による装身具用終端留め具のさらに他の実施例を示す斜視図である。
【符号の説明】
【００３３】
１：エンドパーツ（装身具用終端留め具）      ３：宝玉
５ｅ：連接端の宝玉      ５：ワイヤ      ６，７：連結リング
８：真珠      ９：装飾片
１０：筒状部      １０ａ：開放端      １１：外周面
１２：内周面      １３：周壁          １４，１５：切り込み
１６：係止片      １６ａ：外側の面（斜面）      
２０：頭部      ２１：頭部の筒状部と接続する部分
２２：ワイヤ嵌入用凹部      ２３：イニシャル
３１：貫通孔      ３２：嵌合穴      ３２ａ：嵌合穴の内壁
５１：終端側の所定部分      ５２：テーパ部
【図１】
2008228841.tif 000003
【図２】
2008228841.tif 000004
【図３】
2008228841.tif 000005
【図４】
2008228841.tif 000006
【図５】
2008228841.tif 000007
【図６】
2008228841.tif 000008
【図７】
2008228841.tif 000009
【図８】
2008228841.tif 000010
【図９】
2008228841.tif 000011
【図１０】
2008228841.tif 000012
【手続補正書】
【提出日】平成19年3月18日(2007.3.18)
【手続補正１】
【補正対象書類名】明細書
【補正対象項目名】００３３
【補正方法】変更
【補正の内容】
【００３３】
１：エンドパーツ（装身具用終端留め具）      ３：宝玉
３ｅ：連接端の宝玉      ５：ワイヤ      ６，７：連結リング
８：真珠      ９：装飾片
１０：筒状部      １０ａ：開放端      １１：外周面
１２：内周面      １３：周壁          １４，１５：切り込み
１６：係止片      １６ａ：外側の面（斜面）      
２０：頭部      ２１：頭部の筒状部と接続する部分
２２：ワイヤ嵌入用凹部      ２３：イニシャル
３１：貫通孔      ３２：嵌合穴      ３２ａ：嵌合穴の内壁
５１：終端側の所定部分      ５２：テーパ部